(57)【要約】【課題】複数の画像形成装置に分散して画像データを保存することにより、特定の画像形成装置のみでは画像データの復元とその再印字を困難にする画像形成装置と画像形成方法を提供する。【解決手段】画像を印字するための画像データを記憶する記憶手段１３を備えた第１の画像形成手段Ａと、第１の画像形成装置Ａと回線を介して双方向通信を行う第２の画像形成手段Ｂとからなる画像形成装置において、画像データを複数の分割データに分割し、異なる分割データを、第１と第２の画像形成手段Ａ、Ｂが備えた記憶手段１３、１３にそれぞれ保存する。【選択図】      図２
2004291290.tif 000002
【特許請求の範囲】
【請求項１】
画像を印字するための画像データを記憶する記憶手段を備えた第１の画像形成手段と、該第１の画像形成手段と回線を介して双方向通信を行う第２の画像形成手段とからなる画像形成装置において、
前記画像データを複数の分割データに分割し、異なる分割データを、前記第１と第２の画像形成手段が備えた記憶手段にそれぞれ保存することを特徴とする画像形成装置。
【請求項２】
画像を印字するための画像データを記憶する記憶手段を備えた第１の画像形成手段と、該第１の画像形成手段と回線を介して双方向通信を行う複数の第２の画像形成手段とからなる画像形成装置において、
前記複数の第２の画像形成手段はそれぞれ記憶手段を備え、
前記画像データを複数の分割データに分割し、異なる組み合わせで且つ全体の画像データの一部をなす形態でそれぞれの前記記憶手段に保存し、各分割データが少なくとも２つの前記組み合わせに含まれることを特徴とする画像形成装置。
【請求項３】
前記記憶手段はハードディスクであることを特徴とする請求項１または請求項２に記載の画像形成装置。
【請求項４】
前記分割データは圧縮されたデータであることを特徴とする請求項１乃至請求項３のいずれかに記載の画像形成装置。
【請求項５】
前記分割データを保存する場合、それぞれの分割データがいずれの前記記憶手段に保存されたかの情報を含む保存履歴を作成して記憶することを特徴とする請求項１乃至請求項４のいずれかに記載の画像形成装置。
【請求項６】
前記分割データを保存する場合、前記画像データを再印字するために照合されるパスワードが設定入力され、前記保存履歴とともに記憶されることを特徴とする請求項５に記載の画像形成装置。
【請求項７】
前記分割データを保存する場合、前記画像データを再印字するために照合されるパスワードが設定入力されて、少なくとも最初の２つの前記分割データとともに、前記パスワードが分割されて保存されることを特徴とする請求項５に記載の画像形成装置。
【請求項８】
第１の画像形成装置と該第１の画像形成装置と回線を介して双方向通信を行う第２の画像形成装置はそれぞれ記憶手段を備え、
前記第１の画像形成装置に入力された画像データを分割して、前記第１と第２の画像形成装置の記憶手段とにそれぞれ異なる分割データを保存し、
前記第１の画像形成装置を介して前記画像データとして復元できるように前記記憶手段から前記分割データを回収して、復元された画像データに基づいて画像を形成して印字させる画像形成方法。
【請求項９】
第１の画像形成装置と該第１の画像形成装置と回線を介して双方向通信を行う複数の第２の画像形成装置はそれぞれ記憶手段を備え、
前記第１の画像形成装置に入力された画像データを複数の分割データに分割し、
異なる組み合わせで且つ全体の画像データの一部をなす形態で、各分割データが少なくとも２つの前記組み合わせに含まれるように、それぞれの前記記憶手段に保存し、
前記第１の画像形成装置を介して前記画像データとして復元できるように前記記憶手段から前記分割データを回収して、復元された画像データに基づいて画像を形成して印字させる画像形成方法。
【発明の詳細な説明】
【０００１】
【発明の属する技術分野】
本発明は、電子写真方式を用いた画像形成装置及び画像形成方法に関し、特に画像データを保存する機能を有する画像形成装置及び画像形成方法に関する。
【０００２】
【従来の技術】
電子写真方式を用いた画像形成装置には、白黒またはカラーの複写機、プリンタ、ファクシミリ、あるいは、これらの複数の機能が組み合わされた複合機などがある。また、最近では、そのような画像形成装置の大半がデジタル方式であり、様々な機能を利用することが可能になっている。
【０００３】
例えば、これらの画像形成装置の原稿読取部で読み取った画像データ、あるいは接続されているパソコンから受け取った画像データを基に画像を形成して印字するとともに、画像の再印字が必要な場合、画像形成装置内の例えば、ハードディスクなどの記憶装置に画像データを保存できるような機能を提供するものもある。
【０００４】
しかし、不特定多数の利用者がこのような画像形成装置を使用するとき、記憶装置に保存されている他の利用者の機密文書や重要な文書の画像データにアクセスできる可能性があり、画像の印刷が行われてしまう。また、同様にして、外部から侵入した第３者に対しても、企業などの情報が簡単に漏れてしまう恐れがある。
【０００５】
こうしたことに対するセキュリティを確保するために、特許文献１によると、従来技術では、パソコンなどから印刷データをプリンタに送信するときに、利用者のパスワードも同時に送信して、印刷データとともにハードディスクに保存する。保存された印刷データに基づいて印刷を行う場合、利用者はプリンタの設置場所まで行って、自分のパスワードを入力してから印刷を行う。しかし、パスワードの所有者以外の利用者が、パスワードを変えて何度も試行するとパスワードが一致する場合もあることから、パスワードの入力試行の上限回数を設けて、間違ったパスワードの入力が上限回数を超えて行われると、送信元であるパソコンに警告メッセージを送信させることによって、セキュリティを更に向上させることが開示されている。
【０００６】
【特許文献１】
特開２００３−１９８４８号公報
【０００７】
【発明が解決しようとする課題】
しかし、特許文献１が提案する方法は、パスワードの試行入力制限回数以内でパスワードが一致することを防ぐ方法ではない。また、送信元であるパソコンは稼動していないと警告メッセージは表示されないし、稼動していても利用者が離席中の場合は、その利用者は警告メッセージを即座に見ることができない。そのため、プリンタ上で何度もパスワードを試行入力することが可能である。さらに、プリンタが破棄処分された場合や盗難にあった場合、第３者が充分時間をかければ、ハードディスクに保存されている画像データを復元して再印字できる可能性がある。
【０００８】
本発明は、斯かる問題に対してなされたものであり、複数の画像形成装置に分散して画像データを保存することにより、特定の画像形成装置のみでは画像データの復元とその再印字を困難にする画像形成装置と画像形成方法を提供することを目的とするものである。
【０００９】
【課題を解決するための手段】
上記目的を達成するために、本発明では、画像を印字するための画像データを記憶する記憶手段を備えた第１の画像形成手段と、該第１の画像形成手段と回線を介して双方向通信を行う第２の画像形成手段とからなる画像形成装置において、画像データを複数の分割データに分割し、異なる分割データを、第１と第２の画像形成手段が備えた記憶手段にそれぞれ保存するように構成される。
【００１０】
また、本発明では、画像を印字するための画像データを記憶する記憶手段を備えた第１の画像形成手段と、該第１の画像形成手段と回線を介して双方向通信を行う複数の第２の画像形成手段とからなる画像形成装置において、複数の第２の画像形成手段はそれぞれ記憶手段を備え、画像データを複数の分割データに分割し、異なる組み合わせで且つ全体の画像データの一部をなす形態でそれぞれの記憶手段に保存し、各分割データが少なくとも２つの組み合わせに含まれるように構成される。
【００１１】
記憶手段はハードディスクである。
【００１２】
分割データは圧縮されたデータである。
【００１３】
さらに、分割データを保存する場合、それぞれの分割データがいずれの記憶手段に保存されたかの情報を含む保存履歴を作成して記憶する構成である。
【００１４】
また、分割データを保存する場合、画像データを再印字するために照合されるパスワードが設定入力され、保存履歴とともに記憶される。
【００１５】
或いは、分割データを保存する場合、画像データを再印字するために照合されるパスワードが設定入力されて、少なくとも最初の２つの分割データとともに、パスワードが分割されて保存される。
【００１６】
また、本発明の画像形成方法は、第１の画像形成装置と該第１の画像形成装置と回線を介して双方向通信を行う第２の画像形成装置はそれぞれ記憶手段を備え、第１の画像形成装置に入力された画像データを分割して、第１と第２の画像形成装置の記憶手段とにそれぞれ異なる分割データを保存し、第１の画像形成装置を介して画像データとして復元できるように記憶手段から分割データを回収して、復元された画像データに基づいて画像を形成して印字させる。
【００１７】
更に、本発明の画像形成方法は、第１の画像形成装置と該第１の画像形成装置と回線を介して双方向通信を行う複数の第２の画像形成装置はそれぞれ記憶手段を備え、第１の画像形成装置に入力された画像データを複数の分割データに分割し、異なる組み合わせで且つ全体の画像データの一部をなす形態で、各分割データが少なくとも２つの組み合わせに含まれるように、それぞれの記憶手段に保存し、第１の画像形成装置を介して画像データとして復元できるように記憶手段から分割データを回収して、復元された画像データに基づいて画像を形成して印字させる。
【００１８】
【発明の実施の形態】
以下、本発明の詳細を添付図に基づいて説明する。図１は、本発明が適用される画像形成装置の一実施例を示している。画像形成装置Ａは、表示部２と、操作入力部３と、ＣＣＤなどにより構成される原稿読取部４と、用紙Ｐを格納して給紙する給紙部５と感光体上に画像を形成して用紙Ｐに転写する作像部６と画像を用紙Ｐに定着させる定着部７とから概略構成される印字部８と、これらの全ての制御を行う制御部９とから構成されている。
【００１９】
以上の構成をブロック図にして具体的に説明する。図２は、本発明に係わる画像形成装置Ａの主要部を示すブロック図である。図１を参照して説明した表示部２と、操作入力部３と、原稿読取部４と、印字部８とがそれぞれ図１の制御部９の一部を構成する主制御部１１に接続されている。また、主制御部１１には同時に、半導体メモリなどからなる１次記憶装置１２と、電源が切断されても内容を記憶できるハードディスクなどからなる２次記憶装置１３と、パスワード照合部１４と、画像データを圧縮して分割する圧縮分割部１５と、圧縮分割された画像データを伸張結合する伸張結合部１６と、回線１８を介して接続された外部のパソコンＰＣ１、２や他の画像形成装置Ｂ、Ｃとの双方向通信を行う通信Ｉ／Ｆ（インタフェース）１７なども接続されている。この場合の回線１８は、専用回線であってもよいし、ＬＡＮなどのネットワーク、或いはゲートウェイやルータを介するＷＡＮなどのネットワークであってもよいし、それらのゲートウェイやルータを介してインターネットに接続された形態であってもよい。
【００２０】
上記の構成の画像形成装置ＢまたはＣは、画像形成装置Ａと同様な構成であり、従って、画像データを記憶する２次記憶装置１３を備え、画像形成装置Ａや、回線１８に接続されている他の画像形成装置ＣまたはＢ或いはパソコンＰＣ１、ＰＣ２と交信が可能である。
【００２１】
画像形成装置Ａは、プリンタとして動作する場合、パソコンＰＣ１、ＰＣ２から送信されてくる画像データを、一旦１次記憶装置１２に記憶し、同時に送信されてくる印字制御データに基づいて、その印字部８で印字して出力する。また、複写機として動作する場合は、原稿読取部４によって読み取られた原稿の画像データを一旦１次記憶装置１２に記憶し、操作入力部３を介して利用者によって設定された印字制御データに基づいて、その印字部８で印字して出力する。さらに、一旦１次記憶装置１２に記憶された画像データは、印字終了後自動的に消去されるが、後で再印字の必要性がある場合は、２次記憶装置１３、或いは２次記憶装置１３と他の画像形成装置Ｂ、Ｃの２次記憶装置に分散して保存されてから消去される。
【００２２】
上記のように、本実施形態に係わる画像形成装置Ａは、印字された画像データを、同じような機能を有して回線に接続されている他の画像形成装置Ｂ、Ｃにも分割して保存するため、例えば１台の画像形成装置Ａの２次記憶装置１３に保存された画像データをのみでは、全体の画像データは復元できない。従って、情報の漏洩の可能性が大幅に低減する。
【００２３】
次に図３を使用して画像形成装置Ａ、Ｂ、Ｃが、１回の印字作業（印字ジョブ）にかかわる画像データをどのように分散して保存するかを説明する。図３は、印字ジョブが２ページからなる画像データの分散保存方法を説明する図で、（ａ）は１つのページを、分散保存する画像形成装置の数に応じて分割して保存させる例で、（ｂ）は１つのページを、分散保存する画像形成装置の数に応じて分割して、その分割データを更に２台の画像形成装置に保存する例である。
【００２４】
図３（ａ）に示すように、圧縮された画像データのページ１を、画像形成装置Ａ、Ｂ、Ｃがそれぞれ保存できるように、１−１（ページ１の分割データ１）、１−２、１−３のように３つに分割し、また、圧縮されたページ２を、画像形成装置Ａ、Ｂ、Ｃが保存できるよう、２−１（ページ２の分割データ１）、２−２、２−３のように３つに分割する。従って、画像形成装置Ａには１−１と２−１が保存され、画像形成装置Ｂには１−２と２−２が保存され、画像形成装置Ｃには１−３と２−３が保存されることになる。
【００２５】
上記の保存方法では、１つのページが圧縮されて複数（例では３台）の装置に分割されて保存されるので、たとえ１台の装置に保存されている画像データを復元できたとしても、全ての画像データの復元は困難である。また、分割された画像データを保存する画像形成装置の選択は、予め画像形成装置Ａの操作入力部３から設定するようにしてもよいし、故障などでその設定された画像形成装置が回線１８上で稼動していない場合は、その画像形成装置を外して他の画像形成装置で画像データを分散保存することも可能である。
【００２６】
画像の再印字を行うときに、可能性は低いものの、分散保存を受け持った画像形成装置が故障している場合は、その画像の再印字は一時的に不可能になる。そのようなときは、画像形成装置Ａが他の画像形成装置の状態を定期的に調べ、故障していた画像形成装置が復旧した時点で、画像の再印字を行うようにしてもよい。本実施形態の次の変形例は、上記のような障害が発生しても画像の再印字のために分割データを回収することができる方法である。図３（ｂ）に示す例では、３台の画像形成装置のうち、たとえ１台が故障したとしても再印字が可能になる。
【００２７】
この方法は、図３（ｂ）に示すように、画像形成装置Ａ、Ｂ、Ｃが保存できるように、圧縮された画像データのページ１を、１−１（ページ１の分割データ１）、１−２、１−３のように３つに分割し、また、圧縮された画像データのページ２を、２−１（ページ２の分割データ１）、２−２、２−３のように３つに分割する。更に、それぞれのページの同じ分割データを２台の画像形成装置に保存する。従って、画像形成装置Ａには１−１、１−３、２−１、２−３が保存され、画像形成装置Ｂには１−１、１−２、２−１、２−２が保存され、画像形成装置Ｃには１−２、１−３、２−２、２−３が保存されることになる。すなわち、画像データを複数の分割データに分割して、異なる組み合わせで、且つ全体の画像データの一部をなす形態でそれぞれの画像形成装置Ａ、Ｂ、Ｃに保存し、各分割データが少なくとも２つの組み合わせに含まれるようにすればよい。
【００２８】
このように保存すれば、例えば画像形成装置Ｂが再印字のときに故障していたとしても、画像形成装置Ａから画像データの１−１、１−３、２−１、２−３を取り出し、画像形成装置Ｃから画像データの１−２、２−２を回収して、分割データ１−１、１−２、１−３、２−１、２−２、２−３のそれぞれを結合して伸張すると、ページ１とページ２からなる画像を全て復元することが可能になり、セキュリティとともにデータの冗長性をも構築することができる。上記の例では、２台の画像形成装置に同じ分割データを保存する例であるが、画像データを分散保存できる画像形成装置が多数存在する場合は、２台以上の画像形成装置に同じ分割データを保存するようにすれば、さらに冗長性の向上を図ることができる。
【００２９】
次に、図２と図４を利用して、前記の図３（ａ）の場合の手順を具体的に説明する。図４は、画像データを複数の画像形成装置に分割して保存する場合のフローチャートである。Ｓ１（ステップ１）で、操作入力部３を介して印字制御データ（不図示）  が設定されるとともに、画像形成装置Ａの原稿読取部４で原稿が読み取られる。或いは、画像形成装置Ａがプリンタとして動作する場合は、Ｓ２で、パソコンＰＣ１やＰＣ２から印字制御データとともに画像データが送信されてくる。
【００３０】
次にＳ３で、画像データが画像形成装置Ａの１次記憶装置１２に保存される。Ｓ４で、印字制御データと画像データに基づき印字出力が行われ、Ｓ５で、画像データを保存するかどうかの設定を、操作入力部３或いはパソコンＰＣ１やＰＣ２の表示画面と操作部上（不図示）で行う。画像データを保存しない場合は、Ｓ１４に移行し、１次記憶装置１２に記憶されている画像データが消去されて印字ジョブが終了する。Ｓ５で画像データを保存する場合は、Ｓ６で、表示部２或いはパソコンＰＣ１やＰＣ２の表示画面にパスワード入力の要求が表示されるので、その保存する画像データのためのパスワードを入力して登録する。
【００３１】
Ｓ７では、予め画像形成装置Ａに設定登録されている、画像データを分散保存させる他の画像形成装置のそれぞれの情報が読み込まれる。この例では、画像形成装置Ａ、Ｂ、‥、Ｎのｎ台で分散保存するものとする。Ｓ８で、ｎ台に基づき画像データの各ページの分割サイズが算出される。Ｓ９で、画像データの各ページを圧縮して、この分割サイズごとに分割する。Ｓ１０で、画像データの１つの分割データを画像形成装置に保存する。Ｓ１１で、保存する最後の分割データか否かの判断が行われ、保存が続く場合は、Ｓ１２に移行し、次の分割データと次の画像形成装置が選択されてからＳ１０に戻り、次の分割データを次の画像形成装置に保存することの繰り返しが行われる。Ｓ１１で、画像データ全ての保存が終了すると、Ｓ１３に移行し、各分割データがどの画像形成装置に保存されているかなどの保存履歴が作成されて、Ｓ６で入力されたパスワードとともに画像形成装置Ａの１次記憶装置１２または２次記憶装置１３に保存される。その後、Ｓ１４で１次記憶装置１２の画像データを消去して、印字、保存作業を終了する。
【００３２】
次に、図２と図５を利用して、前記の図４で示したように保存された分割データを回収して復元する手順を説明する。図５は、複数の画像形成装置に分割されて保存された画像データを復元して再印字する場合のフローチャートである。Ｓ２１（ステップ２１）で、操作入力部３またはパソコンＰＣ１やＰＣ２の操作部上（不図示）から、画像形成装置Ａを介して、保存している特定の画像データが選択され再印字するための設定が行われる。
【００３３】
再印字する画像データの選択が行われると、その画像データを保存したときの保存履歴がＳ２２で読み込まれる。次に、Ｓ２３でパスワードの入力が要求されるので、この画像データの保存時に登録したパスワードを入力する。Ｓ２３で、入力されたパスワードと保存履歴に書き込まれているパスワードとの照合が行われ、異なる場合は、Ｓ２３に戻りパスワードの再入力が要求される。この場合、パスワード入力の上限回数を設定して、それを超えた場合には警告メッセージを出すようにしてもよい。
【００３４】
Ｓ２４で、パスワード照合部１４（図２参照）による判定でパスワードが一致する場合は、Ｓ２５に移行し、保存履歴から保存に係わった画像形成装置とその画像形成装置に保存された分割データの保存情報を識別する。Ｓ２６で、画像形成装置から分割データを受け取る。次に、Ｓ２７で、その分割データが２番目以降の分割データであれば、その前のデータと結合して伸張し、１次記憶装置１２に保存する。最初の分割データであれば伸張して１次記憶装置１２に保存する。Ｓ２８では、全ての分割データの回収がされたかの判断が行われ、まだ回収が続く場合は、Ｓ２９で次の分割データを読み込むために、保存履歴に基づいて次の画像形成装置が選択されてから、Ｓ２６に戻る。
【００３５】
Ｓ２８で、全ての分割データが読み込まれ、結合と伸張が行われると、１次記憶装置１２上で画像データの印字準備が完了するため、Ｓ３０で、その画像データに基づき印字部８が印字出力を行う。その後、Ｓ３１で、画像形成装置Ａや他の画像形成装置ＢとＣに保存されている、再印字を終了した画像データ（分割データ）を消去するか否かの確認が行われるので、消去する場合はＳ３２に移行し、画像形成装置Ａ、Ｂ、Ｃに保存されている再印字が終了した画像データが消去されてからＳ３３に移行する。Ｓ３１で再印字が終了した画像データを消去せず、そのまま残す場合は、Ｓ３３に移行し、再印字のために１次記憶装置１２上で復元した画像データを消去して終了する。
【００３６】
なお、図３（ｂ）で説明した同じ分割データを２台の画像形成装置に保存する例の場合は、図４のフローチャートのＳ１２で、１度目のループは分割データを次に進めず、画像形成装置のみ次の画像形成装置を選択するようにするとよい。また、図５のフローチャートの場合は、保存履歴に登録された画像形成装置全てにアクセスできる場合は、フローチャートどおりの手順で、全ての分割データを取り込める。１台の画像形成装置が故障している場合は、Ｓ１２で保存履歴を参照しながら、次に取り込む分割データを有している画像形成装置を選択しながら動作させると全ての分割データを取り込むことができる。
【００３７】
また、本実施形態に係わるこれまでの説明では、画像データの各ページを、分散保存する画像形成装置の数に応じて圧縮分割することを一例としたが、本実施形態は、この例に限定されるのもではなく、例えば、１つ以上のページ区切りを含んだ画像データを１つのデータとして扱い、この画像データを画像形成装置の数に応じて圧縮分割してもよい。また、画像データや画像データの各ページをより細分すれば更にセキュリティを向上させることができるので、画像形成装置の数の倍数あるいは画像形成装置の数に無関係な所望する複数の数に分割し、各分割データとその分割データが保存された画像形成装置の対応が分かるように保存履歴を作成するとよい。さらに、２次記憶装置１３の記憶容量が大きい場合は、画像データを無圧縮で分割して保存することも可能である。そうすることによって、保存時或いは再印字する場合の画像データの圧縮や伸張にかかる時間を削減できる。
【００３８】
さらに、本実施形態では、画像データの保存時に設定されたパスワードを１つの保存履歴に含ませて保存し、再印字時に入力したパスワードと照合させる手順を説明した。しかし、パスワードに対するセキュリティを更に向上させる場合は、パスワードを２つ或いは３つに分割し、それぞれのパスワード分割部分を最初に保存する画像データの分割データと、２つ目或いは更に３つ目の分割データに含ませてそれぞれ異なる画像形成装置に保存し、再印字時にパスワードの入力に無関係に、最初から２つ或いは３つの分割データを読み込み、登録されたパスワードを復元してから、一致する場合は、更に画像データを復元する処理を続行させるようにしてもよい。
【００３９】
【発明の効果】
以上の説明から明らかなように、本発明によれば、再印字するための画像データをハードディスクなどに保存する場合、回線に接続された他の画像形成装置に画像データを分割して分散保存するため、特定の画像形成装置には画像データの一部しか保存されていないので、権限のない利用者や外部からの侵入者が、或いは特定の画像形成装置が廃棄された場合第３者が全ての画像データを復元することが困難である。そのため、その画像形成装置で扱う原稿の画像データや、印字のために送信されてくる画像データの機密性を保護し、その内容が漏洩することを防ぎ、画像形成装置が扱う情報に対するセキュリティの向上を図ることが可能になる。
【００４０】
また、画像データを分割して保存する際、同じ分割データを複数の画像形成装置に保存することによって、上記した画像データのセキュリティの向上とともに、画像データの再印字時に、１台或いは複数台の画像形成装置にアクセスできない状態が生じても、画像データの復元と印字が可能になることから、画像形成の冗長性を構築することができるという優れた効果を奏する。
【図面の簡単な説明】
【図１】本発明が適用される画像形成装置の一実施例を示している。
【図２】本発明に係わる画像形成装置Ａの主要部を示すブロック図である。
【図３】図３は、印字ジョブが２ページからなる画像データの分散保存方法を説明する図で、（ａ）は１つのページを分散保存する画像形成装置の数に応じて分割して保存させる例で、（ｂ）は１つのページを分散保存する画像形成装置の数に応じて分割して、その分割データを更に２台の画像形成装置に保存する例である。
【図４】画像データを複数の画像形成装置に分割して保存する場合のフローチャートである。
【図５】複数の画像形成装置に分割されて保存された画像データを復元して再印字する場合のフローチャートである。
【符号の説明】
２    表示部
３    操作入力部
４    原稿読取部
５    給紙部
６    作像部
７    定着部
８    印字部
９    制御部
１１  主制御部
１２  １次記憶装置
１３  ２次記憶装置
１４  パスワード照合部
１５  圧縮分割部
１６  伸張結合部
１７  通信Ｉ／Ｆ（インタフェース）
１８  回線
Ａ〜Ｃ  画像形成装置
Ｐ    用紙
ＰＣ１、ＰＣ２  パソコン
【図１】
2004291290.tif 000003
【図２】
2004291290.tif 000004
【図３】
2004291290.tif 000005
【図４】
2004291290.tif 000006
【図５】
2004291290.tif 000007